(57)【特許請求の範囲】
【請求項１】
キャビネット内に機器を固定するための機器固定具であって、前記キャビネットの底板に配置されるパネルに複数の第１ネジ孔を２列に穿設し、該２列の第１ネジ孔と直交して２本のレールを配置し、該レールの両端から前記第１ネジ孔の列方向に張設した舌片に前記第１ネジ孔と一致して列方向に長い第１長孔を穿設し、前記レールを前記第１ネジ孔の列方向の任意の位置に第１ネジによって螺着自在にし、前記レールに複数の第２ネジ孔を長手方向に穿設し、前記レールに上片と下片を有する支持部材を配置し、該支持部材の下片に前記第２ネジ孔と一致して列方向に長い第２長孔を穿設し、前記支持部材を前記レールの長手方向の任意の位置に第２ネジによって螺着自在にし、前記支持部材の上片に第３ネジ孔を穿設し、前記支持部材の第３ネジ孔と対向する第４ネジ孔を穿設した保持部材を第３ネジによって任意の高さに螺着自在にし、前記レールと前記支持部材によって前記機器の２側面を保持し、前記保持部材によって前記機器の上面を保持して前記機器を固定することを特徴とする機器固定具。
【発明の詳細な説明】
【０００１】
【発明が属する技術分野】
本発明は、キャビネット内に機器を固定するための機器固定具に関する。
【０００２】
【従来の技術】
従来は、図４に示すようにキャビネット１１内の底板１２に木製の機器取り付けパネル１３を固定し、この機器取り付けパネル１３の任意の位置に機器１４を木ネジ１５で螺着固定していた。
【０００３】
【発明が解決しようとする課題】
しかしながら、機器に木ネジが挿通する孔がない場合は機器取り付けパネルに固定できないという問題があった。また、機器取り付けパネルは木ネジが螺着できるように厚みがあるため、高さ方向のスペースが減少するという欠点があった。
【０００４】
【課題を解決するための手段】
上記従来の問題点に鑑み、本発明の目的は、キャビネット内の高さ方向のスペースを確保し、また、ネジで固定できない機器をキャビネット内に固定できるようにする機器固定具を提供するもので、その構造は、キャビネットの底板に配置されるパネルに複数の第１ネジ孔を２列に穿設し、２列の第１ネジ孔と直交して２本のレールを配置し、レールの両端から第１ネジ孔の列方向に張設した舌片に第１ネジ孔と一致して列方向に長い第１長孔を穿設し、レールを第１ネジ孔の列方向の任意の位置に第１ネジによって螺着自在にし、レールに複数の第２ネジ孔を長手方向に穿設し、レールに上片と下片を有する支持部材を配置し、支持部材の下片に第２ネジ孔と一致して列方向に長い第２長孔を穿設し、支持部材をレールの長手方向の任意の位置に第２ネジによって螺着自在にし、支持部材の上片に第３ネジ孔を穿設し、支持部材の第３ネジ孔と対向する第４ネジ孔を穿設した保持部材を第３ネジによって任意の高さに螺着自在にし、レールと支持部材によって機器の２側面を保持し、保持部材によって機器の上面を保持して機器を固定することである。
【０００５】
【発明の実施の形態】
キャビネットの底板に配設されるパネルに複数の第１ネジ孔を２列に穿設し、２列の第１ネジ孔と直交して２本のレールを配置し、レールの両端から第１ネジ孔の列方向に張設した舌片に第１ネジ孔と一致して列方向に長い第１長孔を穿設し、レールを第１ネジ孔の列方向の任意の位置に第１ネジによって螺着自在にし、レールに複数の第２ネジ孔を長手方向に穿設し、レールに上片と下片を有する支持部材を配置し、支持部材の下片に第２ネジ孔と一致して列方向に長い第２長孔を穿設し、支持部材をレールの長手方向の任意の位置に第２ネジによって螺着自在にし、支持部材の上片に第３ネジ孔を穿設し、支持部材の第３ネジ孔と対向する第４ネジ孔を穿設した保持部材を第３ネジによって任意の高さに螺着自在にし、レールと支持部材によって機器の２側面を保持し、保持部材によって機器の上面を保持して機器を固定する。
【０００６】
【実施例】
本発明に係る機器固定具の一実施例を図１〜図３の添付図面に基づいて説明する。
【０００７】
機器固定具１は、キャビネット（図示せず）内に配置されるパネル２に固定される２本の平行なレール３，３と、レール３に固定される支持部材４と、支持部材４の高さ方向に固定される保持部材５とで構成されている。
【０００８】
パネル２は複数の第１ネジ孔２ａが距離をおいて平行な２列に穿設されている。レール３は断面略コ字状で長手方向に複数の第２ネジ孔３ａが穿設され、第１ネジ孔２ａの列方向と直交して配置される。レール３の両端は第１ネジ孔２ａの列方向に舌片３ｂ，３ｂが張設され、舌片３ｂには第１ネジ孔２ａの列方向に長くて第１ネジ孔２ａと一致する第１長孔３ｃが穿設されている。
【０００９】
レール３の第１長孔３ｃとパネル２の第１ネジ孔２ａを第１ネジ６，６で螺着することにより、レール３が固定される。第１長孔３ｃの長さは隣り合う第１ネジ孔２ａ，２ａ間のピッチと略同一であり、レール３は第１ネジ孔２ａの列方向の任意の位置に変更して固定することができる。
【００１０】
支持部材４は上片４ａと下片４ｂとを有している。下片４ｂにはレール３の第２ネジ孔３ａの列方向に長くて第２ネジ孔３ａと一致する第２長孔４ｃが穿設され、上片には第３ネジ孔４ｄが穿設されている。また、下片４ｂの端縁には下方向に向けて突片４ｅ，４ｅが延設されている。
【００１１】
レール３に支持部材４の突片４ｅ，４ｅを当接させて支持部材４の回転を防止し、支持部材４の第２長孔４ｃとレール３の第２ネジ孔３ａを第２ネジ７，７で螺着することにより、支持部材４が固定される。第２長孔４ｃの長さは隣り合う第２ネジ孔３ａ，３ａ間のピッチと略同一であり、支持部材４は第２ネジ孔３ａの列方向の任意の位置に変更して固定することができる。
【００１２】
保持部材５は固定する機器（図示せず）の上面を押さえる押さえ片５ａに支持部材４の第３ネジ孔４ｄと対向する第４ネジ孔５ｂが穿設され、押さえ片５ａの両側から下方向に向けて脚片５ｃ，５ｃが延設されている。この脚片５ｃ，５ｃ間を支持部材４の上片４に嵌め込んで保持部材５の回転を防止し、保持部材５の第４ネジ孔５ｂと支持部材４の第３ネジ孔４ｄとを第３ネジ８で螺着することにより、保持部材５が固定される。第３ネジ８のねじ部は長いため、保持部材の押さえ片５ａの任意の高さに変更して固定することができる。
【００１３】
レール３と支持部材４と保持部材５を縦方向、横方向、高さ方向に自在に調節し、レール３と支持部材４で機器の隣り合う側面を保持し、保持部材５で機器の上面を保持することによって機器を固定することができる。このとき、レール３と支持部材４は機器の対角する角を固定するように配置する。
【００１４】
また、支持部材４は９０゜回転させて突片４ｅ，４ｅ間にレール３が嵌るように固定することもできるので保持部材５の押さえ片５ａの向きを変更することができる。
【００１５】
【発明の効果】
以上のように本発明に係る機器固定具は、キャビネットの底板に配置されるパネルに複数の第１ネジ孔を２列に穿設し、２列の第１ネジ孔と直交して２本のレールを配置し、レールの両端から第１ネジ孔の列方向に張設した舌片に第１ネジ孔と一致して列方向に長い第１長孔を穿設し、レールを第１ネジ孔の列方向の任意の位置に第１ネジによって螺着自在にし、レールに複数の第２ネジ孔を長手方向に穿設し、レールに上片と下片を有する支持部材を配置し、支持部材の下片に第２ネジ孔と一致して列方向に長い第２長孔を穿設し、支持部材をレールの長手方向の任意の位置に第２ネジによって螺着自在にし、支持部材の上片に第３ネジ孔を穿設し、支持部材の第３ネジ孔と対向する第４ネジ孔を穿設した保持部材を第３ネジによって任意の高さに螺着自在にし、レールと支持部材によって機器の２側面を保持し、保持部材によって機器の上面を保持して機器を固定することにより、キャビネット内の高さ方向のスペースを確保し、また、ネジで固定できない機器をキャビネット内に固定できるという効果がある。
【図面の簡単な説明】
【図１】本発明に係る機器固定具を示す平面図である。
【図２】本発明に係る機器固定具を示す右側面図である。
【図３】本発明に係る機器固定具の支持部材と保持部材を示し、（ａ）は平面図であり、（ｂ）は正面図である。
【図４】従来のキャビネットに機器を固定した様子を示す平面図である。
【符号の説明】
１    機器固定具
２    パネル
２ａ  第１ネジ孔
３    レール
３ａ  第２ネジ孔
３ｂ  舌片
３ｃ  第１長孔
４    支持部材
４ａ  上片
４ｂ  下片
４ｃ  第２長孔
４ｄ  第３ネジ孔
４ｅ  突片
５    保持部材
５ａ  押さえ片
５ｂ  第４ネジ孔
５ｃ  脚片
６    第１ネジ
７    第２ネジ
８    第３ネジ
【図１】
0004649062.tif 000002
【図２】
0004649062.tif 000003
【図３】
0004649062.tif 000004
【図４】
0004649062.tif 000005